(57)【要約】【課題】冷温流体を冷却又は暖める冷温熱源装置１４と，冷暖房用の放射パネル（間接式熱交換器）１１の複数個とから成り，前記各放射パネル１１を，分配供給管路１２と集合排出管路１３との間に並列に接続し，前記冷温熱源装置において冷却又は暖めた冷温流体を前記分配供給管路１２における一端の入口端部１２′に送る一方，前記集合排出管路１３における一端の出口端部１３′からの冷温流体を前記冷温熱源装置に戻すように構成して成る空調システムにおいて，前記分配供給管路及び／又は集合排出管路の管径を，流れ抵抗の増大を招来することなく，細くし，配管工事を容易にする。【解決手段】前記分配供給管路１２及び前記集合排出管路１３のうちいずれた一方又は両方をループに構成する。【選択図】図４
2010255939.tif 000002
【特許請求の範囲】
【請求項１】
冷温流体を冷却又は暖める冷温熱源装置と，冷暖房用の間接式熱交換器の複数個とから成り，前記複数個の間接式熱交換器を，冷温流体の分配供給管路と冷温流体の集合排出管路との間に並列に接続し，前記冷温熱源装置において冷却又は暖めた冷温流体を前記分配供給管路における一端の入口端部に送る一方，前記集合排出管路における一端の出口端部からの冷温流体を前記冷温熱源装置に戻すように構成して成る空調システムにおいて，
前記分配供給管路は，その一端の入口端部と他端の終端部とを互いに連通するように接続して成るループに構成されていることを特徴とする空調システム。
【請求項２】
冷温流体を冷却又は暖める冷温熱源装置と，冷暖房用の間接式熱交換器の複数個とから成り，前記複数個の間接式熱交換器を，冷温流体の分配供給管路と冷温流体の集合排出管路との間に並列に接続し，前記冷温熱源装置において冷却又は暖めた冷温流体を前記分配供給管路における一端の入口端部に送る一方，前記集合排出管路における一端の出口端部からの冷温流体を前記冷温熱源装置に戻すように構成して成る空調システムにおいて，
前記集合排出管路は，その一端の出口端部と他端の終端部とを互いに連通するように接続して成るループに構成されていることを特徴とする空調システム。
【請求項３】
冷温流体を冷却又は暖める冷温熱源装置と，冷暖房用の間接式熱交換器の複数個とから成り，前記複数個の間接式熱交換器を，冷温流体の分配供給管路と冷温流体の集合排出管路との間に並列に接続し，前記冷温熱源装置において冷却又は暖めた冷温流体を前記分配供給管路における一端の入口端部に送る一方，前記集合排出管路における一端の出口端部からの冷温流体を前記冷温熱源装置に戻すように構成して成る空調システムにおいて，
前記分配供給管路は，その一端の入口端部と他端の終端部とを互いに連通するように接続して成るループに構成されている一方，前記集合排出管路は，その一端の出口端部と他端の終端部とを互いに連通するように接続して成るループに構成されていることを特徴とする空調システム。
【請求項４】
前記請求項３の記載において，前記間接式熱交換器の複数個は，複数群に群分けして配設されている一方，前記分配供給管路は，複数本の供給管をその両端において互いに連通するように接続して成るループに構成され，前記集合排出管路は，複数本の排出管をその両端において互いに連通するように接続して成るループに構成されており，前記複数群に群分けされた各間接式熱交換器は，前記分配供給管路における各供給管と，前記集合排出管路における各排出管との相互間の各々に接続されていることを特徴とする空調システム。
【請求項５】
前記請求項４の記載において，前記複数群に群分けされた各間接式熱交換器には，その各々への二次側分配供給管路と，その各々からの二次側集合排出管路とを備えて，前記二次側分配供給管路は，その一端の入口端部と他端の終端部とを互いに連通するように接続して成るループに構成されている一方，前記二次側集合排出管路は，その一端の出口端部と他端の終端部とを互いに連通するように接続して成るループに構成されていることを特徴とする空調システム。
【発明の詳細な説明】
【技術分野】
【０００１】
本発明は，冷温熱源装置において冷却又は暖めた冷温流体を，冷暖房用の間接式熱交換器の複数個に送ることによって，冷暖房を行なうように構成した空調システムに関するものである。
【背景技術】
【０００２】
従来，この種の空調システムは，冷温熱源装置において冷却又は暖めた冷温流体を，当該冷温熱源装置と，冷暖房用の間接式熱交換器の複数個との間を循環するように構成している。
【０００３】
先行技術としての特許文献１〜４には，図１に示すように，冷暖房用の間接式熱交換器１の複数個を，冷温流体の分配供給管路２と冷温流体の集合排出管路３との間に並列に接続するという構成にし，冷温熱源装置４において冷却又は暖めた冷温流体を，循環ポンプ５にて前記分配供給管路２に送って，この分配供給管路２を介して前記各間接式熱交換器１の各々に分配して供給する一方，前記各間接式熱交換器１の各々から排出される冷温流体を，前記集合排出管路３に集合し，この集合排出管路３から前記冷温熱源装置４に戻すという構成にすることが記載されている。
【０００４】
なお，前記各間接式熱交換器１における入口部又は出口部には，当該各間接式熱交換器１の各々に対して冷温流体を流すための個別ポンプ６が設けられている。
【０００５】
前記先行技術の各特許文献に記載されている空調システムは，前記分配供給管路２が前記複数個の各間接式熱交換器１に対する分配供給用の入口ヘッダーを構成し，前記集合排出管路３が前記複数個の各間接式熱交換器１に対する集合排出用の出口ヘッダーを構成することから，ヘッダー方式と称されている。
【先行技術文献】
【特許文献】
【０００６】
【特許文献１】特開２００３−２０７１９０号公報
【特許文献２】特開２００５−１４７５２８号公報
【特許文献３】特開２００８−２７５２８７号公報
【特許文献４】特開２００８−２７５２８８号公報
【発明の概要】
【発明が解決しようとする課題】
【０００７】
このヘッダー方式空調システムにおいて，その分配供給管路２における一端の入口端部２′には，前記冷温熱源装置４にて冷却又は暖められた冷温流体が供給され，この冷温流体は，前記分配供給管路２内を他端の終端部２″に向かって流れるというように，流れが一つの方向に限られている。
【０００８】
そして，前記分配供給管路２における一端の入口端部２′に対して供給される冷温流体の最大流量は，前記各間接式熱交換器１の各々において最大限必要とする個別供給流量の総合計であるから，前記分配供給管路２のうち少なくとも入口端部２′における管径ｄ２ａは，前記最大流量（総合計流量）に合わせて設定するという構成にしなければならない。
【０００９】
この場合，前記分配供給管路２における管径を，その全長にわたって，前記最大流量に合わせて一様の管径ｄ２ａにするという構成にしたときには，前記分配供給管路２は，その全長にわたって一様に太くなることにより，当該分配供給管路２における長さ方向に沿っての流れ抵抗が小さくなるから，エネルギー損失を低減できるという利点を有するが，その反面，前記太い管径ｄ２ａの分配供給管路２における配管設計及び工事が著しく厄介で且つ困難になるという問題がある。
【００１０】
そこで従来においては，前記分配供給管路２を，その長さ方向に沿って複数の供給管，例えば，第１供給管２ａ，第２供給管２ｂ及び第３供給管２ｃに分割し，そのうち第１供給管２ａを，前記最大流量に合わせた管径ｄ２ａにする一方，前記第２供給管２ｂを，当該第２供給管２ｂにおける流量に合わせて前記第１供給管２ａよりも適宜寸法だけ細い管径ｄ２ｂにし，そして，前記第３供給管２ｃを，当該第３供給管２ｃにおける流量に合わせて前記第２供給管２ｂよりも適宜寸法だけ更に細い管径ｄ２ｃにするというように，管径を，入口端部２′から終端部２″に向かって階段状の先細に構成するという方法が採用されている。
【００１１】
この構成によると，前記分配供給管路２の管径は，階段状の先細になっているので，この分配供給管路２における配管設計及び工事が，その全長にわたって一様な太い管径ｄ２ａである場合よりも簡単に且つ容易にできるという利点を有する。
【００１２】
しかし，その反面，前記第１供給管２ａ，第２供給管２ｂ及び第３供給管２ｃを構成するための異なった管径のパイプの数種類と，この各異径パイプの相互間を互いに接続するための異径の管継ぎ手２ｅ，２ｆ等とを必要とすることにより，全長が一様に太径である場合に比べて，部品点数が多くなるばかりか，配管工事に要する手数が増大するから，配管工事に要するコストが可成りアップするのであり，しかも，前記分配供給管路２が，階段状の先細であることにより，流れ抵抗が大きく，ひいては，エネルギー損失が，全長にわたって一様に太径である場合よりも大きくなるという問題があった。
【００１３】
一方，前記集合排出管路３内における冷温流体は，前記分配供給管路２とは逆に，その他端における終端部３″から一端の出口端部３′に向かって流れるというように，流れが一つの方向に限られ，その出口端部３′から排出される冷温流体の最大流量は，前記各間接式熱交換器１の各々から排出される個別排出流量の総合計であることにより，前記集合集合排出管路３のうち少なくとも出口端部３′における管径ｄ３ａは，前記最大流量（総合計流量）に合わせて設定するという構成にしなければならないから，前記分配供給管路２の場合と同様の問題があった。
【００１４】
すなわち，前記集合排出管路３における管径を，その全長にわたって，前記最大流量に合わせて一様な管径ｄ３ａにするとういう構成にした場合には，前記集合排出管路３は，その全長にわたって一様に太くなるから，当該集合排出管路３における長さ方向に沿っての流れ抵抗が小さくなってエネルギー損失を低減できる利点を有するが，その反面，前記太い管径ｄ３ａの集合排出管路３における配管工事に，コストが著しく嵩むことになるという問題がある。
【００１５】
そこで従来においては，前記集合排出管路３をその長さ方向に沿って複数の排出管，例えば，第１排出管３ａ，第２排出管３ｂ及び第３排出管３ｃに分割し，そのうち第１排出管３ａを，前記最大流量に合わせた管径ｄ３ａにする一方，前記第２排出管３ｂを，当該第２排出管３ｂにおける流量に合わせて前記第１排出管３ａよりも適宜寸法だけ細い管径ｄ３ｂにし，そして，前記第３排出管３ｃを，当該第３排出管３ｃにおける流量に合わせて前記第２排出管３ｂよりも適宜寸法だけ更に細い管径ｄ３ｃにするというように，管径を，出口端部３′から終端部３″に向かって階段状の先細に構成するという方法が採用されている。
【００１６】
この構成によると，前記集合排出管路３の管径は，当該集合排出管路３における出口端部３′の部分から離れた部分において，前記出口端部３′の部分よりも細くなっているので，この集合排出管路３における配管設計及び工事が，当該集合排出管路３が全長にわたって一様に太い管径ｄ３ａである場合よりも簡単に且つ容易にできるという利点を有する。
【００１７】
しかし，その反面，前記第１排出管３ａ，第２排出管３ｂ及び第３排出管３ｃを構成するための異なった管径のパイプの数種類と，この各異径パイプの相互間を互いに接続するための異径の管継ぎ手３ｅ，３ｆ等とを必要とすることにより，全長が一様に太径である場合に比べて，部品点数が多くなるばかりか，配管工事に要する手数が増大するから，配管工事に要するコストが可成りアップするのであり，しかも，前記集合排出管路３が，出口端部３′から終端部３″に向かって階段状の先細であることにより，流れ抵抗が大きく，ひいては，エネルギー損失が，全長が一様に太径である場合よりも大きくなる。
【００１８】
その上，前記分配供給管路２及び前記集合排出管路３の両方における流れの方向が一つの方向であることにより，これら分配供給管路２及び集合排出管路３の間に接続される複数個の各冷暖房用間接式熱交換器１による冷暖房のＯＮ・ＯＦＦ操作又は切り換え操作，及び温度制御操作に起因して流量変動があった場合に，この流量変動に迅速に対応することができないから，前記各冷暖房用間接式熱交換器１に対する流量のバランスが著しく悪いという問題があった。
【００１９】
本発明は，これらの問題を解消することを技術的課題とするものである。
【課題を解決するための手段】
【００２０】
この技術的課題を達成するため請求項１は，
「冷温流体を冷却又は暖める冷温熱源装置と，冷暖房用の間接式熱交換器の複数個とから成り，前記複数個の間接式熱交換器を，冷温流体の分配供給管路と冷温流体の集合排出管路との間に並列に接続し，前記冷温熱源装置において冷却又は暖めた冷温流体を前記分配供給管路における一端の入口端部に送る一方，前記集合排出管路における一端の出口端部からの冷温流体を前記冷温熱源装置に戻すように構成して成る空調システムにおいて，
前記分配供給管路は，その一端の入口端部と他端の終端部とを互いに連通するように接続して成るループに構成されている。」
ことを特徴としている。
【００２１】
請求項２は，
「冷温流体を冷却又は暖める冷温熱源装置と，冷暖房用の間接式熱交換器の複数個とから成り，前記複数個の間接式熱交換器を，冷温流体の分配供給管路と冷温流体の集合排出管路との間に並列に接続し，前記冷温熱源装置において冷却又は暖めた冷温流体を前記分配供給管路における一端の入口端部に送る一方，前記集合排出管路における一端の出口端部からの冷温流体を前記冷温熱源装置に戻すように構成して成る空調システムにおいて，
前記集合排出管路は，その一端の出口端部と他端の終端部とを互いに連通するように接続して成るループに構成されている。」
ことを特徴としている。
【００２２】
請求項３は，
「冷温流体を冷却又は暖める冷温熱源装置と，冷暖房用の間接式熱交換器の複数個とから成り，前記複数個の間接式熱交換器を，冷温流体の分配供給管路と冷温流体の集合排出管路との間に並列に接続し，前記冷温熱源装置において冷却又は暖めた冷温流体を前記分配供給管路における一端の入口端部に送る一方，前記集合排出管路における一端の出口端部からの冷温流体を前記冷温熱源装置に戻すように構成して成る空調システムにおいて，
前記分配供給管路は，その一端の入口端部と他端の終端部とを互いに連通するように接続して成るループに構成されている一方，前記集合排出管路は，その一端の出口端部と他端の終端部とを互いに連通するように接続して成るループに構成されている。」
ことを特徴としている。
【００２３】
請求項４は，
「前記請求項３の記載において，前記間接式熱交換器の複数個は，複数群に群分けして配設されている一方，前記分配供給管路は，複数本の供給管をその両端において互いに連通するように接続して成るループに構成され，前記集合排出管路は，複数本の排出管をその両端において互いに連通するように接続して成るループに構成されており，前記複数群に群分けされた各間接式熱交換器は，前記分配供給管路における各供給管と，前記集合排出管路における各排出管との相互間の各々に接続されている。」
ことを特徴としている。
【００２４】
請求項５は，
「前記請求項４の記載において，前記複数群に群分けされた各間接式熱交換器には，その各々への二次側分配供給管路と，その各々からの二次側集合排出管路とを備えて，前記二次側分配供給管路は，その一端の入口端部と他端の終端部とを互いに連通するように接続して成るループに構成されている一方，前記二次側集合排出管路は，その一端の出口端部と他端の終端部とを互いに連通するように接続して成るループに構成されている。」
ことを特徴としている。
【発明の効果】
【００２５】
先ず，請求項１によると，分配供給管路には，冷温熱源装置において冷却又は暖めた冷温流体が，当該分配供給管路における一端の入口端部から供給されると同時に，当該分配供給管路における他端の終端部からも供給されることにより，前記分配供給管路内における冷温流体の流れは，前記先行技術のように，入口端部から終端部に向かう一つの方向に限られることはなくなり，入口端部から終端部に向かう方向と，終端部から入口端部に向かう方向との二つの方向になるから，前記分配供給管路のうち少なくとも入口端部における最大の管径を，前記冷温熱源装置からの冷温流体が当該分配供給管路における終端部にも供給される分だけ，前記先行技術の場合よりも小径にすることができる。
【００２６】
これにより，前記分配供給管路における管径を，その全長にわたって太径にしたり，或いは，入口端部から終端部に向かって階段状の先細に構成したりする必要がなく，当該分配供給管路における冷温流体の流れ抵抗の増大を招来することなく，全長にわたって細くて一様な管径にすることができるから，配管設計及び工事を簡単に且つ容易にできるとともに，部品点数及び配管工事に要する手数を軽減できるのであり，しかも，流れ抵抗に起因してのエネルギー損失を低減できる。
【００２７】
次に，請求項２によると，集合排出管路から冷温熱源装置への冷温流体の排出は，当該集合排出管路における一端の出口端部から行なわれると同時に，当該集合排出管路における他端の終端部からも行なわれることにより，前記集合排出管路内における冷温流体の流れは，前記先行技術のように，終端部から出口端部に向かう一つの方向に限られることはなくなり，終端部から出口端部に向かう方向と，出口端部から終端部に向かう方向との二つの方向になるから，前記集合排出管路のうち少なくとも出口端部における最大の管径を，前記冷温熱源装置への冷温流体の排出が当該集合排出管路における終端部から行なわれる分だけ，前記先行技術の場合よりも小径にすることができる。
【００２８】
これにより，前記集合排出管路における管径を，その全長にわたって太径にしたり，或いは，出口端部から終端部に向かって階段状の先細に構成したりする必要がなく，当該集合集合排出管路における冷温流体の流れ抵抗の増大を招来することなく，全長にわたって細くて一様な管径にすることができるから，配管設計及び工事を簡単に且つ容易にできるとともに，部品点数及び配管工事に要する手数を軽減できるのであり，しかも，流れ抵抗に起因してのエネルギー損失を低減できる。
【００２９】
特に，請求項３によると，前記分配供給管路及び前記集合排出管路の両方について，配管設計及び工事を簡単に且つ容易にできるとともに，部品点数及び配管工事に要する手数を軽減でき，しかも，流れ抵抗に起因してのエネルギー損失を低減できる。
【００３０】
その上，前記分配供給管路及び前記集合排出管路の両方における流れの方向が二つの方向であることにより，これら分配供給管路及び集合排出管路の間に接続される複数個の各冷暖房用間接式熱交換器による冷暖房のＯＮ・ＯＦＦ操作又は温度制御に起因して流量変動があった場合に，この流量変動に迅速に対応することができるから，前記各冷暖房用間接式熱交換器に対する流量のバランスを大幅に改善することができる。
【００３１】
更に，請求項４によると，前記請求項３による効果を有することに加えて，空調領域の拡張するために，前記冷暖房用間接式熱交換器の複数個を，複数群に群分けして配設する場合に，前記分配供給管路及び集合排出管路を，前記複数群について共用できるから，その長さを短くすることができる。
【００３２】
加えて，請求項５によると，複数群に群分けされた各間接式熱交換器における二次側分配供給管路及び二次側集合排出管路についても，前記ループに構成することによる効果を得ることができる。
【図面の簡単な説明】
【００３３】
【図１】従来の空調システムを示す配管図である。
【図２】本発明における実施の形態に使用する放射パネルを示す斜視図である。
【図３】図２のIII −III 視断面図である。
【図４】本発明における第１の実施の形態による空調システムを示す配管図である。
【図５】本発明における第２の実施の形態による空調システムを示す配管図である。
【図６】本発明における第３の実施の形態による空調システムを示す配管図である。
【図７】本発明における第４の実施の形態による空調システムを示す配管図である。
【図８】本発明における第５の実施の形態による空調システムを示す配管図である。
【図９】本発明における第６の実施の形態による空調システムを示す配管図である。
【図１０】本発明における第７の実施の形態による空調システムを示す配管図である。
【図１１】本発明における実施の形態に使用する冷温熱源装置の一例を示す図である。
【図１２】本発明における実施の形態に使用する冷温熱源装置の別例を示す図である。
【発明を実施するための形態】
【００３４】
以下，本発明の実施の形態を，図２〜図１２の図面について説明する。
【００３５】
図２及び図３は，本発明における「冷暖房用の間接式熱交換器」の一つの例であるところの放射パネル１１を示している。
【００３６】
この放射パネル１１は，アルミニウム等の熱伝達性に優れた金属板１１ａを備え，その表裏両面のうち片方の面を放熱面１１ｂとして，この放熱面１１ｂに放熱面積を増大すること等の目的で例えばフイン１１ｄを設ける一方，他方の面１１ｃには，ジグザク状に曲げられ内部を冷温流体が流れるように構成した熱交換パイプ１１ｅを，当該他方の面１１ｃに沿って延びるように設けて成るという構成である。
【００３７】
図４は，第１の実施の形態を示している。
【００３８】
この第１の実施の形態は，前記放射パネル１１の複数枚を一列又は複数列（本実施の形態では二列の場合を示す）で複数行に並べて配設することによって一つのパネル群１１Ａ構成し，このパネル群１１Ａを，空調を必要とする部屋の天井面及び／又は壁面等に，その各放射パネル１１における放熱面１１ｂを部屋内に向けた状態で設置することにより，前記部屋内の冷暖房を行なうように構成している。
【００３９】
前記図４において，符号１２は，前記パネル群１１Ａにおける各放射パネル１１の各々への分配供給管路を，符号１３は，前記各放射パネル１１の各々からの集合排出管路を各々示しており，この分配供給管路１２と集合排出管路１３との間には，前記パネル群１１Ａの各行における放射パネル１１が，これら管路１２，１３の長手方向に沿って適宜ピッチの間隔で並列に接続されている。
【００４０】
前記図４において，符号１４は，冷温熱源装置を示している。
【００４１】
この冷温熱源装置１４は，前記集合排出管路１３における出口端１３′から戻って来る水等の冷温流体を冷却又は暖めるという構成であり，冷房のみの場合には，例えば冷凍機等の冷却装置が使用され，暖房のみの場合には，例えばボイラー等の加熱装置が使用される。勿論，冷却と加熱との両方を切り換え式に行なうものにすることができる。また，後述するように，図１１に示す蒸発式の冷温熱源装置１４′，又は図１２に示す蒸発式の冷温熱源装置１４″を使用できる。
【００４２】
前記冷温熱源装置１４において冷却又は暖められた水等の冷温流体は，メイン循環ポンプ１５にて，前記分配供給管路１２の一端における入口端部１２′に供給され，この分配供給管路１２からこれに接続の前記各放射パネル１１に，当該各放射パネル１１ごとに設けた個別ポンプ１６にて分配して送られて，部屋の冷房又は暖房を行なったのち，これら各放射パネル１１が接続される前記集合排出管路１３に集められ，そして，この集合排出管路１３の一端における出口端部１３′から前記冷温熱源装置１４に戻って，再び冷却又は暖められるという循環を行なう。
【００４３】
前記冷房又は暖房に際しては，前記各放射パネル１１ごとにおける個別ポンプ１６を，各放射パネル１１ごとに設けた温度センサ１７にてインバータ制御することにより，所定の冷房温度又は暖房温度に維持するように構成している。
【００４４】
なお，この冷暖房の温度制御に際しては，複数個の個別ポンプ１６を一つの温度センサ１７にてインバータ制御するという構成にすることができるし，また，前記温度制御は，前記個別ポンプ１６のインバータ制御に代えて，この個別ポンプ１６と直列に設けた流量制御弁の開閉制御にて行なうことも可能である。
【００４５】
また，前記冷暖房に際して，前記メイン循環ポンプ１５からの冷温流体の送出流量は，常に，前記個別ポンプ１６にて各放射パネル１１に供給される流量の総合計よりも適宜量だけ多くなるように制御されている。
【００４６】
そして，本発明においては，前記分配供給管路１２を，一端に入口端部１２′を有して前記一つのパネル群１１Ａの各行における放射パネル１１が接続される第１供給管１２ａと，この第１供給管１２ａの他端と前記入口端部１２′との間を接続する第２供給管１２ｂとで構成して，当該分配供給管路１２における一端の前記入口端部１２′と当該分配供給管路１２における他端の終端部１２″とを互いに連通するように接続して成る構成にするというように，二本の供給管１２ａ，１２ｂをその両端において互いに連通するように接続することによって，ループに構成している。
【００４７】
この場合，前記パネル群１１Ａの各行における放射パネル１１は，図示のように，前記第１供給管１２ａに接続することに代えて，第２供給管１２ｂに接続したり，前記第１供給管１２ａと前記第２供給管１２ｂとの両方に適宜振り分けて接続するという構成にできる。
【００４８】
この構成により，前記分配供給管路１２には，冷温熱源装置１４において冷却又は暖めた冷温流体が，当該分配供給管路１２における一端の入口端部１２′から供給されると同時に，当該分配供給管路１２における他端の終端部１２″からも供給されることにより，前記分配供給管路１２内における冷温流体の流れは，前記先行技術のように，入口端部１２′から終端部１２″に向かう一つの方向に限られることはなくなって，入口端部１２′から終端部１２″に向かう方向と，終端部１２″から入口端部１２′に向かう方向との二つの方向になるから，前記分配供給管路１２のうち少なくとも入口端部１２′における最大の管径ｄ１２を，前記冷温熱源装置１４からの冷温流体が当該分配供給管路１２における終端部１２にも供給される分だけ，前記先行技術の場合よりも小径にすることができる。
【００４９】
これに加えて，本発明においては，前記集合排出管路１３を，一端に出口端部１３′を有して前記一つのパネル群１１Ａにおける各行の放射パネル１１が接続される第１排出管１３ａと，この第１排出管１３ａの他端と前記出口端部１３′との間を接続する第２排出管１３ｂとで構成して，当該集合排出管路１３における一端の前記出口端部１３′と当該集合排出管路１３における他端の終端部１３″とを互いに連通するように接続して成る構成にするというように，二本の排出管１３ａ，１３ｂをその両端において互いに連通するように接続することによって，ループに構成している。
【００５０】
この場合，前記パネル群１１Ａの各行における放射パネル１１は，図示のように，前記第１排出管１３ａに接続することに代えて，第２排出管１３ｂに接続したり，前記第１排出管１３ａと前記第２排出管１３ｂとの両方に適宜振り分けて接続するという構成にできる。
【００５１】
この構成により，集合排出管路１３から冷温熱源装置１４への冷温流体の排出は，当該分配分配供給管路１３における一端の出口端部１３′から行なわれると同時に，当該分配供給管路１３における他端の終端部１３″からも行なわれることにより，前記分配供給管路１３内における冷温流体の流れは，前記先行技術のように，終端部１３″から出口端部１３′に向かう一つの方向に限られることはなくなって，終端部１３″から出口端部１３′に向かう方向と，出口端部１３′から終端部１３″に向かう方向との二つの方向になるから，前記集合排出管路１３のうち少なくとも出口端部１３′における最大の管径ｄ１３ａを，前記冷温熱源装置１４への冷温流体の排出が当該集合排出管路１３における終端部１３″からも少なくとも一本のバイパス集合排出管路１９を介して行なわれる分だけ，小径にすることができる。
【００５２】
特に，前記分配供給管路１２及び集合排出管路１３の両方をループに構成した場合は，前記分配供給管路１２及び集合排出管路１３の両方における冷温流体の流れが二つの方向であることにより，前記パネル群１１Ａの各行における放射パネル１１による冷暖房に冷温流体の流す又は止めるというのＯＮ・ＯＦＦ操作があるか或いは冷温流体の流量を増減するという温度制御操作があり，これに起因して流量変動があった場合に，この流量変動に迅速に対応することができる。
【００５３】
次に，図５は，第２の実施の形態を示している。
【００５４】
この第２の実施の形態は，前記図４に示す第１の実施の形態を前提とし，そのパネル群１１Ａの各行における放射パネル１１に，個別ポンプ１６を使用することに代えて，流量制御弁１６′を使用し，この流量制御弁１６′を，温度センサ１７にて開閉制御することにより，冷暖房の温度制御を行なうように構成したものである。
【００５５】
この場合，前記分配供給管路１２内における冷温流体をパネル群１１Ａの各行における放射パネル１１に流すことは，メイン循環ポンプ１５が負担する。
【００５６】
この第２の実施の形態においても，前記分配供給管路１２を，前記第１の実施の形態と同様に，一端に入口端部１２′を有して前記一つのパネル群１１Ａの各行における放射パネル１１が接続される第１供給管１２ａと，この第１供給管１２ａの他端と前記入口端部１２′との間を接続する第２供給管１２ｂとで構成して，当該分配供給管路１２における一端の前記入口端部１２′と当該分配供給管路１２における他端の終端部１２″とを互いに連通するように接続して成る構成にするというように，二本の供給管１２ａ，１２ｂをその両端において互いに連通するように接続することによって，ループに構成している。      
【００５７】
また，前記集合排出管路１３を，前記第１の実施の形態と同様に，一端に出口端部１３′を有して前記一つのパネル群１１Ａにおける各行の放射パネル１１が接続される第１排出管１３ａと，この第１排出管１３ａの他端と前記出口端部１３′との間を接続する第２排出管１３ｂとで構成して，当該集合排出管路１３における一端の前記出口端部１３′と当該集合排出管路１３における他端の終端部１３″とを互いに連通するように接続して成る構成にするというように，二本の排出管１３ａ，１３ｂをその両端において互いに連通するように接続することによって，ループに構成している。
【００５８】
これにより，前記第１の実施の形態と同様に作用・効果を得ることができる。
【００５９】
なお，第２の実施の形態においても，前記メイン循環ポンプ１５からの冷温流体の送出流量は，常に，前記流量制御弁１６′にて各放射パネル１１に供給される流量の総合計よりも適宜量だけ多くなるように制御されている。
【００６０】
図６は，第３の実施の形態を示している。
【００６１】
この第３の実施の形態は，前記した放射パネル１１の複数枚によって構成されるパネル群を，空調領域の拡張等を図ることのために，例えば，第１パネル群１１Ａ，第２パネル群１１Ｂ，第３パネル群１１Ｃ，及び第４パネル群１１Ｄとするというように，複数群に群分けした場合である。
【００６２】
前記複数群に群分けされた各パネル群１１Ａ，１１Ｂ，１１Ｃ，１１Ｄの各々は，温度センサ１７にてインバータ制御される個別ポンプ１６を備えているとともに，この個別ポンプ１６からの冷温流体を一つのパネル群を構成する各放射パネル１１に分配供給するための二次側分配供給管路１８と，一つのパネル群を構成する各放射パネル１１からの冷温流体を集めて排出するための二次側集合排出管路１９とを備えるという構成になっており，そして，ループに構成した前記分配供給管路１２における第１供給管１２ａと，同じくループに構成した前記集合排出管路１３における第１排出管１３ａとに，並列に接続されるという構成になっている。
【００６３】
この第３の実施の形態の構成によっても，前記第１の実施の形態と同様に作用・効果を得ることができる。
【００６４】
また，この第３の実施の形態においては，その各パネル群１１Ａ，１１Ｂ，１１Ｃ，１１Ｄに個別ポンプ１６を使用することに代えて，前記図５に示す前記第２の実施の形態における流量制御弁１６′を使用することができることは勿論である。
【００６５】
図７は，前記第４の実施の形態を示している。
【００６６】
この第４の実施の形態は，前記第３の実施の形態を前提として，その変形例である。
【００６７】
すなわち，前記各パネル群１１Ａ，１１Ｂ，１１Ｃ，１１Ｄの各々における二次側分配供給管路１８′及び二次側集合排出管路１９′のうちいずれか一方又は両方を，ループに構成したものであり，これにより，前記各パネル群１１Ａ，１１Ｂ，１１Ｃ，１１Ｄの各々において，前記した作用・効果を得ることができる。
【００６８】
なお，前記第２〜第４の実施の形態においては，その分配供給管路１２を，二本の供給管１２ａ，１２ｂをその両端において互いに連通するように接続して成るループに構成する一方，その集合排出管路１３を，二本の排出管１３ａ，１３ｂをその両端において互いに接続して成るループに構成して，前記分配供給管路１２における第１供給管１２ａと，前記集合排出管路１３における第１排出管１３ａとに，前記各放射パネル１１又は各パネル群１１Ａ〜１１Ｄを接続する場合であった。
【００６９】
本発明は，これに限らず，前記各放射パネル１１又は各パネル群１１Ａ〜１１Ｄを，前記分配供給管路１２における第２供給管１２ｂと，前記集合排出管路１３における第２排出管１３ｂとに接続するという構成にしたり，前記分配供給管路１２における各供給管１２ａ，１２ｂと，前記集合排出管路１３における各排出管１３ａ，１３ｂとに適宜振り分け接続するという構成にできる。
【００７０】
勿論，前記分配供給管路１２における各供給管，及び前記集合排出管路１３における各排出管は，前記第１〜第４の実施の形態のように二本に構成することに限らず，三本以上の複数本にし，その両端において互いに連通するように接続することによって，ループに構成することができる。
【００７１】
次に，図８は，第５の実施の形態を示している。
【００７２】
この第５の実施の形態は，前記したように，群分けした二群のパネル群１１Ａ，１１Ｂのうち一方のパネル群１１Ａにおける各放射パネル１１を，ループに構成した前記分配供給管路１２における第１供給管１２ａ（又は第２供給管１２ｂ）と，同じくループに構成した前記集合排出管路１３における第１排出管１３ａ（又は第１排出管１３ｂ）とに接続する。
【００７３】
前記二群のパネル群１１Ａ，１１Ｂのうち他方のパネル群１１Ｂにおける各放射パネル１１を，前記分配供給管路１２における第２供給管１２ｂ（又は第１供給管１２ａ）と，前記集合排出管路１３における第２排出管１３ｂ（第１排出管１３ａ）とに接続するという構成にしている。
【００７４】
つまり，第５の実施の形態は，前記放射パネル１１の複数個は，パネル群１１Ａとパネル群１１Ｂとに群分けする一方，前記分配供給管路１２を，二本の供給管１２ａ，１２ｂをその両端において互いに連通するように接続することによってループに構成し，更に，前記集合排出管路１３を，二本の排出管１３ａ，１３ｂをその両端において互いに連通するように接続することによってループに構成する。
【００７５】
そして，前記二つ群分けされた一方のパネル群１１Ａにおける各放射パネル１１を，前記分配供給管路１２における第１供給管１２ａと前記集合排出管路１３における第１排出管１３ａとに接続し，他方のパネル群１１Ｂにおける各放射パネル１１を，前記分配供給管路１２における第２供給管１２ｂと前記集合排出管路１３における第２排出管１３ｂとに接続するという構成にしたものである。
【００７６】
この構成によると，前記第１の実施の形態と同様に作用・効果を得ることができることる加えて，ループに構成した前記分配供給管路１２及び前記集合排出管路１３を，複数のパネル群１１Ａ，１１Ｂについて共用できるので，その長さを短くすることができる利点がある。
【００７７】
図９は，第６の実施の形態を示している。
【００７８】
この第６の実施の形態は，前記分配供給管路１２における第１供給管１２ａ（又は第２供給管１２ｂ）と，前記集合排出管路１３における第１排出管１３ａ（又は第１排出管１３ｂ）との間における多数枚の放射パネル１１を，パネル群１１Ａ，１１Ｂ，１１Ｃの複数に群分けする。
【００７９】
前記分配供給管路１２における第２供給管１２ｂ（又は第１供給管１２ａ）と，前記集合排出管路１３における第２排出管１３ｂ（第１排出管１３ａ）との間における多数枚の放射パネル１１を，パネル群１１Ｄ，１１Ｅ，１１Ｆの複数に群分けする。
【００８０】
前記各パネル群１１Ａ〜１１Ｆの各々は，インバータ制御の個別ポンプ１６を備えているとともに，この個別ポンプ１６からの冷温流体を一つのパネル群を構成する各放射パネル１１に分配供給するための二次側分配供給管路１８と，一つのパネル群を構成する各放射パネル１１からの冷温流体を集めて排出するための二次側集合排出管路１９とを備えるという構成になっている。
【００８１】
この構成により，前記第５の実施の形態と同様に作用・効果を得ることができる。
【００８２】
図１０は，前記第７の実施の形態を示している。
【００８３】
この第７の実施の形態は，前記第８の実施の形態を前提として，その変形例である。
【００８４】
すなわち，前記各各パネル群１１Ａ，１１Ｂ，１１Ｃ，１１Ｄ，１１Ｅ，１１Ｆの各々における二次側分配供給管路１８′及び二次側集合排出管路１９′の両方のうちいずれか一方又は両方を，ループに構成したものであり，これにより，前記各パネル群１１Ａ〜１１Ｆの各々において，前記した作用・効果を得ることができる。
【００８５】
前記第５〜第７の実施の形態においても，前記分配供給管路１２における供給管，及び前記集合排出管路１３における排出管は，二本に構成することに限らず，三本以上の複数本にすることができるのは勿論である。
【００８６】
ところで，前記した冷温熱源装置１４としては，図１１に示す蒸発式の冷温熱源装置１４′を使用できるほか，図１２に示す蒸発式の冷温熱源装置１４″を使用できる。
【００８７】
この図１１において，符号２０は，密閉構造にした第１容器を，符号２１は，同じく密閉構造にした第２容器を各々示し，これら両容器２０，２１のうちいずれか一方又は両方には，前記第１容器２０及び前記第２容器２１内の両方を大気圧より低い減圧にするための真空ポンプ２２等の真空発生装置が接続されている。
【００８８】
前記第１容器２０の底部と前記第２容器２１の底部とは，連通管２３を介して互いに接続されている一方，前記第１容器２０の底部には，前記循環ポンプ１５への分配供給管路２４が接続されている一方，この第１容器２０内の上部に設けたノズル２５には，前記集合集合排出管路１３からの戻り管路２６が接続されている。
【００８９】
従って，前記第１容器２０内における冷温流体は，前記循環ポンプ１５にて，前記各放射パネル１１に送られたのち，再び，前記各放射パネル１１から前記第１容器２０内の上部にノズル２５から噴出して戻るというように循環される。
【００９０】
一方，前記第２容器２１内における水等の冷温流体は，循環ポンプ２７を備えた分配供給管路２８にて汲み出され，密閉型に構成した放吸熱用熱交換器２９に送られ，この放吸熱用熱交換器２９から戻り管路３０を介して再び前記第２容器２１内の上部に設けたノズル３１から噴出するように戻すという循環を行うように構成している。
【００９１】
この場合，前記放吸熱用熱交換器２９は，屋外に設置した通風塔３２の内部に設けられ，その外側を，ポンプ３３にて循環する水を散布することに加えて，フアン３４にて大気の空気を強制通風することにより，冷却（放熱）と吸熱とを行うように構成している。
【００９２】
更に，前記第１容器２０の上部と前記第２容器２１の上部の間は，蒸気ダクト３５を介して接続され，この蒸気ダクト３５の途中には，回転式蒸気圧縮機における一つの例であるところのルーツ式圧縮機３６が設けられており，このルーツ式圧縮機３６は，正逆回転が可能の構成である。
【００９３】
この構成において，冷房に際しては，前記冷温熱源装置１４′におけるルーツ式圧縮機３６を，図１１に矢印３６′で示すように，前記第１容器２０から前記第２容器２１の方向に蒸気圧縮を行うように正回転にする。
【００９４】
これにより，前記第１容器２０における冷温流体は沸騰蒸発し，この沸騰蒸発にて所定温度に冷却され，その冷却された冷温流体は，循環ポンプ１５にて，前記分配供給管路１２に送られ，前記集合排出管路１３から再び，前記第１容器２０に戻って沸騰蒸発することを繰り返す一方，前記第１容器２０内での沸騰蒸発にて発生した蒸気は前記ルーツ式圧縮機３６にて圧縮されたのち前記第２容器２１に至り，ここにおける冷温流体にて凝縮され，この蒸気凝縮にて温度が高くなった冷温流体は放吸熱用熱交換器２９に送られてここでの大気空気との熱交換にて冷却（放熱）されたのち再び前記第２容器２１に戻って蒸気を凝縮することを繰り返す。
【００９５】
また，暖房に際しては，前記冷温熱源装置１４′におけるルーツ式圧縮機３６を，今度は，図１１に矢印３６″で示すように，前記第２容器２１から前記第１容器２０の方向に蒸気圧縮を行うように逆回転にする。
【００９６】
これにより，前記第２容器２１における冷温流体は沸騰蒸発し，この沸騰蒸発にて所定温度に冷却されたのち放吸熱用熱交換器２９に送られ，ここで大気空気との熱交換にて暖め（吸熱）られたのち再び前記第２容器２１に戻って沸騰蒸発することを繰り返す一方，前記第２容器２１内での沸騰蒸発にて発生した蒸気は前記ルーツ式圧縮機３６で圧縮されたのち前記第１容器２０に至り，ここにおける冷温流体にて凝縮され，この蒸気凝縮にて温度が高くなるように暖められた冷温流体は，循環ポンプ１５にて前記分配供給管路１２に送られ，前記集合排出管路１３から再び，前記第１容器２０に戻って蒸気凝縮することを繰り返す。
【００９７】
前記図１１に示す，一つの例としての蒸発式冷温熱源装置１４′は，前記第１容器２０の上部と前記第２容器２１の上部とを接続する蒸気ダクト３５に設けたルーツ式圧縮機３６を正逆回転することにより，冷房と暖房とを行うように構成した場合であった。
【００９８】
図１２は，別例としての蒸発式冷温熱源装置１４″を示している。
【００９９】
この別例としての蒸発式冷温熱源装置１４″は，前記蒸気ダクト３５に，前記ルーツ式圧縮機３６等の蒸気圧縮機に対するバイパス弁３７を設け，冷房のときには，前記バイパス弁３７を閉じた状態で，前記ルーツ式圧縮機３６を矢印３６′の方向に蒸気圧縮を行うように回転駆動するにより，第１容器２０において冷温流体を冷却しているが，暖房のときには，前記ルーツ式圧縮機３６を停止した状態で，前記バイパス弁３７を開くことによって，第２容器２１で発生した蒸気を，第１容器２０に導き，この蒸気により，当該第１容器２０から前記分配供給管路１２に送られ，前記集合排出管路１３から再び，第１容器２０に戻るように循環する冷温流体を暖めるという構成にしたものである。
【０１００】
なお，前記図１１又は図１２に図示した蒸発式の冷温熱源装置１４′，１４″において，放吸熱用熱交換器２９における放熱又は吸熱に際しては，前記したように，大気空気を使用することに代えて，地下水を使用するか，或いは，地下熱を使用する構成にすることができる。
【符号の説明】
【０１０１】
１１                        放射パネル（冷暖房用間接式熱交換器）
１１Ａ〜１１Ｆ              パネル群
１２                        分配供給管路
１２ａ，１２ｂ              供給管
１３                        集合排出管路
１３ａ，１３ｂ              排出管
１４，１４′，１４″        冷温熱源装置
１５                        メイン循環ポンプ
１６                        個別ポンプ
１６′                      流量制御弁
１７                        温度センサ
１８，１８′                二次側分配供給管路
１９，１９′                二次側集合排出管路
【図１】
2010255939.tif 000003
【図２】
2010255939.tif 000004
【図３】
2010255939.tif 000005
【図４】
2010255939.tif 000006
【図５】
2010255939.tif 000007
【図６】
2010255939.tif 000008
【図７】
2010255939.tif 000009
【図８】
2010255939.tif 000010
【図９】
2010255939.tif 000011
【図１０】
2010255939.tif 000012
【図１１】
2010255939.tif 000013
【図１２】
2010255939.tif 000014